(57)【要約】【課題】より簡単な構成で、ユーザーが起床したか否かを容易に検知可能で且つユーザーの起床に伴う所定の処理を確実に実行可能な目覚ましシステムおよび目覚まし機能付き情報機器を提供する。【解決手段】ユーザーに目覚ましアラームを発動する目覚まし機能と、ユーザーの起床に伴い所定の処理を実行する自動操作機能を有する情報機器であって、ユーザーの起床を検知して自動操作機能を発動させる起床検知手段を備え、当該起床検知手段を介してユーザーの起床を検知した後、自動操作機能を発動させる構成の目覚まし機能付き情報機器１とし、当該情報機器１を用いた目覚ましシステムとした。【選択図】図１
2014173986.tif 000002
【特許請求の範囲】
【請求項１】
ユーザーに目覚ましアラームを発動する目覚まし機能と、ユーザーの起床に伴い所定の処理を実行する自動操作機能を有する情報機器を用いた目覚ましシステムであって、
前記情報機器が、各部を制御する制御部と、表示画面と、を有し、前記制御部を介して、
時刻を認識し表示する時刻明示手段と、
目覚ましアラームを発動する時刻を設定するアラーム設定手段と、
設定された時刻に目覚ましアラームを発動するアラーム発動手段と、
目覚ましアラームを一時停止して所定時間経過後に再度目覚ましアラームを発動する停止手段と、
所定時間アラームを発動し、その後、所定時間経過する度にアラームを繰り返し発動するスヌーズ手段と、
ユーザーの起床を検知して前記自動操作機能を発動させる起床検知手段と、
を備えたことを特徴とする目覚ましシステム。
【請求項２】
目覚ましアラームを発動する際に、前記表示画面にユーザーを起床させるための呼び出し画面を表示すると共に、
前記呼び出し画面は、前記停止手段に応じた停止ボタン表示と、前記スヌーズ手段に応じたスヌーズ解除ボタン表示と、前記起床検知手段に応じた起床ボタン表示との３つのボタン表示を行い、
前記起床検知手段は、前記起床ボタンが押下された時に、ユーザーの起床を検知して前記自動操作機能を発動させることを特徴とする請求項１に記載の目覚ましシステム。
【請求項３】
前記情報機器は、家電機器と連携してその駆動を制御する家電制御機能を有し、前記自動操作機能は、予め定められた家電機器の起動を操作することを特徴とする請求項１または２に記載の目覚ましシステム。
【請求項４】
ユーザーに目覚ましアラームを発動する目覚まし機能と、ユーザーの起床に伴い所定の処理を実行する自動操作機能を有する目覚まし機能付き情報機器であって、
各部を制御する制御部と、表示画面と、を有し、前記制御部を介して、
時刻を認識し表示する時刻明示手段と、
目覚ましアラームを発動する時刻を設定するアラーム設定手段と、
設定された時刻に目覚ましアラームを発動するアラーム発動手段と、
目覚ましアラームを一時停止して所定時間経過後に再度目覚ましアラームを発動する停止手段と、
所定時間アラームを発動し、その後、所定時間経過する度にアラームを繰り返し発動するスヌーズ手段と、
ユーザーの起床を検知して前記自動操作機能を発動させる起床検知手段と、
を備えたことを特徴とする目覚まし機能付き情報機器。
【請求項５】
目覚ましアラームを発動する際に、前記表示画面にユーザーを起床させるための呼び出し画面を表示すると共に、
前記呼び出し画面は、前記停止手段に応じた停止ボタン表示と、前記スヌーズ手段に応じたスヌーズ解除ボタン表示と、前記起床検知手段に応じた起床ボタン表示との３つのボタン表示を行い、
前記起床検知手段は、前記起床ボタンが押下された時に、ユーザーの起床を検知して前記自動操作機能を発動させることを特徴とする請求項４に記載の目覚まし機能付き情報機器。
【発明の詳細な説明】
【技術分野】
【０００１】
本発明は、目覚ましシステムおよび目覚まし機能付き情報機器に関し、特に、ユーザーが起床したことを確実に判定可能な目覚ましシステムおよび目覚まし機能付き情報機器に関する。
【背景技術】
【０００２】
最近では、携帯電話機やスマートフォンなどの携帯情報機器が広く用いられている。また、これらの情報機器が有する目覚まし機能を用いて、目覚まし時計代わりに使用するユーザーも増えてきている。
【０００３】
また、情報通信技術を用いて、家電機器や家庭電力機器や車などを、状況に応じて最適な運用を図るスマート化が進められており、ユーザーの活動状況に応じて、各家電機器の機能を制御するなどの風潮が高まっている。そのために、スマートフォンと家電機器とを連携してスマートフォンを介して家電機器の駆動制御を行うことが模索されている。例えば、ユーザーが起床したことを検知して所定の家電機器を起動させるなどの、ユーザーの起床に伴い所定の処理を実行することが模索され始めている。
【０００４】
従来の目覚まし機能は、予め設定する時刻になると所定の目覚ましアラームを発動する。また、一旦停止させても所定時間経過後に再度アラームを発動する停止手段や、所定時間アラームを発動し、その後、所定時間経過する度にアラームを繰り返し発動するスヌーズ手段を有する。
【０００５】
しかし、従来の停止手段やスヌーズ手段のみでは、ユーザーが起床したか否かを精度よく判定することは困難である。そのために、目覚まし機能を有する情報機器と各ライフライン機器とに接続可能なアラーム管理サーバを設け、アラーム停止後にライフライン機器の利用状況を確認することによりユーザーが起床したか否かを判定するアラーム管理システムが既に提案されている（例えば、特許文献１参照）。
【先行技術文献】
【特許文献】
【０００６】
【特許文献１】特開２０１１−１３５５１６号公報
【発明の概要】
【発明が解決しようとする課題】
【０００７】
目覚まし機能を有する情報機器が目覚ましアラームを発動したときに、ユーザーがアラーム停止やスヌーズ解除などの操作を行う場合、ユーザーが起床するために操作したのか、二度寝するために操作したのかが不明であり、情報機器が、ユーザーが確かに起床したか否かを検知することはできない。
【０００８】
また、特許文献１のように、アラーム管理サーバを設けて、アラーム停止後にライフライン機器（家電機器を含む）の利用状況を確認することにより、ユーザーが起床したか否かを知ることは可能になる。しかし、この場合でも、ユーザーが一人暮らしではなく、複数の家族がいる場合では、当該ユーザーが確かに起床しているか否かを判定することは困難になる。また、トイレなどのためにユーザーが一時的に起きた際に誤作動を起こす可能性も生じて問題となる。
【０００９】
そこで、より簡単な構成で、ユーザーが起床することを選択したのか、二度寝することを選択したのかを容易に検知可能であることが望ましく、アラーム管理サーバを設けてライフライン機器の利用状況を確認しなくても、ユーザーが起床したか否かを間違いなく検知できることが望まれる。
【００１０】
すなわち、より簡単な構成で、ユーザーが起床することを選択したのか、二度寝することを選択したのかを容易に検知可能であり、ユーザーの起床に伴い所定の処理を確実に実行できる目覚ましシステムであることが望ましく、また、より簡単な操作で、ユーザーが起床したか否かを間違いなく検知できる目覚まし機能付き情報機器であることが望まれる。
【００１１】
そこで本発明は、上記問題点に鑑み、より簡単な構成で、ユーザーが起床したか否かを容易に検知可能で且つ、ユーザーの起床に伴う所定の処理を確実に実行可能な目覚ましシステムおよび目覚まし機能付き情報機器を提供することを目的とする。
【課題を解決するための手段】
【００１２】
上記目的を達成するために本発明は、ユーザーに目覚ましアラームを発動する目覚まし機能と、ユーザーの起床に伴い所定の処理を実行する自動操作機能を有する情報機器を用いた目覚ましシステムであって、前記情報機器が、各部を制御する制御部と、表示画面とを有し、前記制御部を介して、時刻を認識し表示する時刻明示手段と、目覚ましアラームを発動する時刻を設定するアラーム設定手段と、設定された時刻に目覚ましアラームを発動するアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備えたことを特徴としている。
【００１３】
この構成によると、目覚ましアラームを発動する目覚まし機能と、ユーザーの起床に伴い所定の処理を実行する自動操作機能を有する情報機器を用いると共に、ユーザーの起床を検知して自動操作機能を発動させる起床検知手段を備えているので、ユーザーの起床に伴う所定の処理を確実に実行できる。従って、より簡単な構成で、ユーザーが起床したか否かを容易に検知可能で且つ、ユーザーの起床に伴う所定の処理を確実に実行可能な目覚ましシステムを得ることができる。
【００１４】
また本発明は、ユーザーに目覚ましアラームを発動する目覚まし機能と、ユーザーの起床に伴い所定の処理を実行する自動操作機能を有する目覚まし機能付き情報機器であって、各部を制御する制御部と、表示画面と、を有し、前記制御部を介して、時刻を認識し表示する時刻明示手段と、目覚ましアラームを発動する時刻を設定するアラーム設定手段と、設定された時刻に目覚ましアラームを発動するアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備えたことを特徴としている。
【００１５】
この構成によると、目覚まし機能付き情報機器がアラーム発動手段と、停止手段と、スヌーズ手段と、ユーザーの起床を検知して自動操作機能を発動させる起床検知手段を備えているので、従来の目覚まし機能に加えて、ユーザーの起床に伴う所定の処理を確実に実行できる。従って、より簡単な構成で、ユーザーが起床したか否かを容易に検知可能で且つ、ユーザーの起床に伴う所定の処理を確実に実行可能な目覚まし機能付き情報機器を得ることができる。
【発明の効果】
【００１６】
本発明によれば、ユーザーに目覚ましアラームを発動する目覚まし機能と、ユーザーの起床に伴い所定の処理を実行する自動操作機能を有する目覚ましシステムおよび目覚まし機能付き情報機器において、ユーザーの起床を検知して自動操作機能を発動させる起床検知手段を備えた目覚ましシステムおよび目覚まし機能付き情報機器としたので、より簡単な構成で、ユーザーが起床したか否かを容易に検知可能で且つ、ユーザーの起床に伴う所定の処理を確実に実行可能な目覚ましシステムおよび目覚まし機能付き情報機器を得ることができる。
【図面の簡単な説明】
【００１７】
【図１】本発明に係る目覚まし機能付き情報機器の一例を示す概略平面図である。
【図２】本発明に係る目覚まし機能付き情報機器の構成を示すブロック図である。
【図３】本発明に係る目覚ましシステムの処理の流れを示すフローチャートである。
【図４】本発明に係る目覚まし機能付き情報機器の自動操作機能の例を示すフローチャートである。
【図５】本発明に係る目覚まし機能付き情報機器の実際の使用例を示す概略説明図である。
【発明を実施するための形態】
【００１８】
以下に本発明の実施形態を図面を参照して説明するが、本発明はこれにより何ら制限されるものではない。また、同一構成部材については同一の符号を用い、重複する説明は適宜省略する。まず本実施形態に係る目覚まし機能付き情報機器の一例について、図１および図２を用いて説明する。図１は、目覚まし機能付き情報機器の一例を示す概略平面図であり、図２は、目覚まし機能付き情報機器の構成を示すブロック図である。
【００１９】
本実施形態に係る目覚まし機能付き情報機器１は、予めユーザーが設定する起床時刻になった時に目覚ましアラームを発動する目覚まし機能とユーザーの起床に伴い所定の処理を実行する自動操作機能を有する携帯情報端末（例えば、スマートフォン）である。また、図２のブロック図に示すように、制御部１１、通信部１２、操作部１３、記憶部１４、表示部１５を有する構成とされる。また、この他に電源部（不図示）などを備えていることは明らかである。
【００２０】
制御部１１は、情報処理を行い各部を制御する。通信部１２は、有線または無線方式により外部と通信する機能を有し、例えば、無線ＬＡＮ（ＷｉＬＡＮ）やBluetooth（登録商標）や電話通信網を利用した通信が可能である。操作部１３は、ユーザーが入力操作を行う部分であって、例えば、タッチパネルやハードキー、音声入力装置やモーションセンサー等から成る。記憶部１４は、各種情報を記憶する部分であって、例えば、制御情報を記憶しておくメモリーである。表示部１５は、制御部により表示指示された各種情報を表示する部分であって、例えば、液晶画面から成る。
【００２１】
また、目覚まし機能付き情報機器１（以降、情報機器１と称することもある）は、他の情報機器や家電機器（スマート家電）と通信可能とされる。そのために、家電機器が情報機器１からの通信指令によりその駆動が制御可能なスマート家電であれば、この情報機器１を介して、所定の家電機器の起動を操作できる。例えば、エアコンの駆動を開始したり、テレビのスイッチをオンしたりできる。すなわち、本実施形態に係る情報機器１は、ユーザーに目覚ましアラームを発動する目覚まし機能と、ユーザーの起床に伴い所定の処理を実行する自動操作機能を有する構成とされる。
【００２２】
また、図１に示すように、情報機器１の外形は平面視矩形とされ、本体部２と表示画面３を有する。また、表示画面３は、タッチパネルであって、表示されたアイコンなどをタッチすることで各種の操作が可能になる操作部ともなる。すなわち、表示画面３は前述した表示部１５であると共に操作部１３ともなる。
【００２３】
表示画面３にはユーザーが予め定める所定の画像や記憶部１４に記憶された画像や映像を表示できる。また、時刻やカレンダーなども表示することもできる。また、この表示画面３上の操作により、所定の起床時刻を設定して、所定の時刻になった時に目覚ましアラームを発動するように設定することが可能である。
【００２４】
すなわち、情報機器１は、制御部１１と表示画面３とを有し、時刻を認識し表示する時刻明示手段と、目覚ましアラームを発動する時刻を設定するアラーム設定手段と、設定された時刻に目覚ましアラームを発動する目覚ましアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、を有する。さらに、より簡単な構成で、ユーザーが起床したか否かを容易に検知可能で且つ、ユーザーの起床に伴う所定の処理を確実に実行可能にするために、ユーザーの起床を検知して自動操作機能を発動させる起床検知手段を有する構成としている。
【００２５】
従って、情報機器１を用いた目覚ましシステムは、情報機器１が有する制御部１１を介して、同様に、時刻を認識し表示する時刻明示手段と、目覚ましアラームを発動する時刻を設定するアラーム設定手段と、設定された時刻に目覚ましアラームを発動する目覚ましアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備えたシステムとなる。
【００２６】
目覚ましアラームは、所定のブザー音やメロディーなどを出力してもよく、振動などを鳴動させてもよい。また、目覚ましアラームを発動する際には表示画面３に、図１に示すタッチ画面が表示されるようにしている。
【００２７】
すなわち、所定の時刻になって目覚ましアラームが発せられると、表示画面３に、起床ボタン３１とスヌーズ解除ボタン３２と停止ボタン３３と、の３つの操作ボタンを有する呼び出し画面を表示するようにしている。
【００２８】
スヌーズ解除ボタン３２は、予め設定しているスヌーズ操作を停止するボタンであって、このボタンが押下される（タッチ操作される）と、その後の目覚ましアラームは発せずにアラーム発動手段が停止される。そのために、起床せず二度寝することを希望するユーザーは、このスヌーズ解除ボタン３２を押下するとよい。停止ボタン３３は、発せられている目覚ましアラームを一時停止させるボタンであって、このボタンがタッチ操作されても、スヌーズ手段が作動している間は、所定間隔を置いて繰り返し目覚ましアラームが発せられる。
【００２９】
一方、起床ボタン３１は、ユーザーが起床することを宣言するボタンであって、このボタンがタッチ操作されると、目覚ましアラームの発動は停止され、ユーザーの起床に紐づいた機能を発動させる。このように、目覚ましアラームが発せられ、起床ボタン３１がタッチ操作された時に、情報機器１はユーザーの起床を検知して、ユーザー起床に伴う所定の操作を開始する。つまり、予め設定されている自動操作機能が発動される。
【００３０】
すなわち、所定の起床時刻になると、目覚ましアラームが発動され、表示画面３にはユーザーを起床させるための呼び出し画面が表示される。そして、この呼び出し画面に表示された起床ボタン３１がタッチ操作されて初めて、情報機器１はユーザーの起床を検知する。つまり、起床ボタン３１がタッチ操作されて初めて、情報機器１は、ユーザーが起床したと、もしくは、起床する意思があると判定する。言い換えれば、起床ボタン３１が押下されると、ユーザーが起床することを選択したと判定できる。
【００３１】
従って、本実施形態で言う、情報機器１がユーザーの起床を検知する、の意味は、呼び出し画面に表示される起床ボタン３１が押下（タッチ操作）された時に、情報機器１が、ユーザーが起床することを選択したと判定することである。そして、この後、ユーザー起床に伴う所定の制御操作を開始する指令を発動する。
【００３２】
上記したように本実施形態に係る情報機器１を用いた目覚ましシステムは、情報機器１の各部を制御する制御部１１を介して、時刻を認識し表示する時刻明示手段と、目覚ましアラームを発動する時刻を設定するアラーム設定手段と、設定された時刻に目覚ましアラームを発動する目覚ましアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備え、ユーザーの起床に伴う所定の処理を確実に実行可能なシステムである。
【００３３】
また、情報機器１が有する表示画面３にユーザーを起床させるための呼び出し画面を表示すると共に、呼び出し画面には、停止手段に応じた停止ボタン表示と、スヌーズ手段に応じたスヌーズ解除ボタン表示と、起床検知手段に応じた起床ボタン表示との３つのボタン表示を行うようにしている。この構成であれば、ユーザーが表示された起床ボタン３１をタッチ操作することにより、情報機器１はユーザーが起床することを選択したと判定して、ユーザー起床に伴う所定の処理を行う操作を発動できる。
【００３４】
また、ユーザーがスヌーズ解除ボタン３２をタッチ操作すると、ユーザーは起床せずに二度寝することを選択したと判定して、起床に伴う処理操作の発動を行わず目覚まし機能を停止することができる。また、停止ボタン３３がタッチ操作されると、起床に伴う処理を行う自動操作機能を発動せず所定時間経過後に再び目覚ましアラームを発動することができる。このように、ユーザーが起床することを選択したことを情報機器１が確実に判定して、すなわち、情報機器１がユーザーの起床を検知して、その後の自動操作機能を発動させて所定の処理操作を開始できる。従って、所望の家電機器をユーザーの起床に紐づいて起動させることが可能になり、利便性の向上した目覚ましシステムおよび目覚まし機能付き情報機器１を得ることができる。
【００３５】
次に、図３を用いて本実施形態に係る目覚ましシステムについて、さらに説明する。図３は、本発明に係る目覚ましシステムの処理の流れを示すフローチャートである。
【００３６】
本実施形態に係る目覚ましシステムは、ユーザーに目覚ましアラームを発動する目覚まし機能と、ユーザーの起床時に所定の機能を発動させる自動操作機能を有する情報機器１を用いた目覚ましシステムであって、より簡単な構成で、ユーザーが起床したか否かを容易に判定可能で且つユーザーの起床に伴い所定の処理を確実に実行可能な目覚ましシステムである。
【００３７】
システムが開始されると、ステップＳ１で、ユーザーが起床時刻と起床時に作動させる機器を予め設定する。それから、ステップＳ２で、情報機器１が起床時刻を検出すると、情報機器１が目覚ましアラームを発動して呼び出し画面を表示するステップＳ３を実行する。それから、ステップＳ４で、起床ボタンが押下されたか否かの確認を行い、起床ボタン３１が押下されたことが確認されると図のＹ方向に進み、ステップＳ５のユーザー起床に伴う処理を実行する。
【００３８】
また、ステップＳ４にて起床ボタンが押下されていない場合には図のＮ方向に進み、スヌーズ解除ボタンが押下された否かを確認する処理（ステップＳ６）を行い、スヌーズ解除ボタン３２が押下されたことが確認されると図のＹ方向に進み、処理終了となる。すなわち、スヌーズ解除ボタン３２が押下された場合にはスヌーズ操作を停止し、ユーザーはまだ起床せず就寝する（二度寝する）ことを選択したと判定して、目覚まし機能を停止する。
【００３９】
また、ステップＳ６にて、スヌーズ解除ボタンが押下されていない場合は、図のＮ方向に進みスヌーズ操作を続行させる。すなわち、スヌーズ設定時間の経過を検出（ステップＳ７）して再度、目覚ましアラームを発動するステップＳ３に戻る。
【００４０】
このフローチャートには停止ボタン３３による処理は表示していないが、起床ボタン３１が押下されておらず、スヌーズ解除ボタン３２も押下されていない状態が停止ボタン３３が押下された場合に相当する。すなわち、図３のフローチャートのステップＳ６のＮ方向に相当し、ステップＳ７のスヌーズ設定時間の経過を検出する処理に移行する。
【００４１】
また、起床ボタン３１が押下されておらず、スヌーズ解除ボタン３２も押下されておらず、停止ボタン３３も押下されていない場合には、ユーザーから何らの処理もなされていない状態であり、この際には、何ら応答がないと判定し、予め定めるアラーム停止処理に移行するとよい。すなわち、予め定める所定時間、ユーザーから何らの応答がない時には、目覚まし機能を停止する。
【００４２】
上記したように、本実施形態に係る目覚ましシステムは、ユーザーに目覚ましアラームを発動する目覚まし機能と、ユーザーの起床時に所定の機能を発動させる自動操作機能を有する情報機器１を用いた目覚ましシステムである。また、情報機器１が有する制御部１１を介して、時刻を認識し表示する時刻明示手段と、目覚ましアラームを発動する時刻を設定するアラーム設定手段と、設定された時刻に目覚ましアラームを発動するアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備えた構成としている。
【００４３】
ここで言う起床検知手段とは、呼び出し画面に表示される起床ボタン３１、および、この起床ボタン３１が押下されたことを検知してユーザーが起床することを選択したと判定して、所定の制御指令を発動する制御部１１を含むことは明らかである。
【００４４】
すなわち、本実施形態に係る目覚ましシステムは、起床時刻を検知した情報機器１に目覚ましアラームを発動させ、さらに、表示画面３にユーザーを起床させるための呼び出し画面を表示させるものであり、表示画面３に表示された起床ボタン３１をユーザーが押下した時に、ユーザーの起床を検知して、所定の自動操作機能を発動させるシステムである。従って、ユーザーが起床ボタン３１を押下した後、情報機器１がユーザーの起床を検知して自動操作機能を発動するので、ユーザーが起床を宣言した後、予め起床時に自動操作するように設定された家電機器を間違いなく起動させることができて、ユーザー起床に伴う処理を確実に実行可能になる。
【００４５】
〈実施例１〉
次に、図４を用いて本実施形態に係る目覚まし機能付き情報機器１を用いて、ユーザーの起床時に家電機器１０を起動する実施例１について説明する。
【００４６】
この実施例１は、ユーザー起床に伴う処理として、ユーザーの起床時に家電機器１０を起動させる自動操作機能を有する例である。すなわち、情報機器１の目覚ましアラームが発動（ステップＳ１１）されると、前述したように表示画面３にユーザーを起床させるための呼び出し画面が表示され、起床ボタン３１とスヌーズ解除ボタン３２と停止ボタン３３の３つの操作ボタンが表示される。
【００４７】
ここで、ユーザーが起床ボタン３１を押下すると情報機器１は、ユーザーが起床することを選択したと判定して、ユーザーの起床に伴う所定の操作（ステップＳ１３の起動操作開始）を実行して、家電機器１０を起動させる処理を行う。家電機器１０は情報機器１からの起動処理を受けて、ステップＳ１０１の機器起動を実行する。
【００４８】
ユーザーを起床させるための呼び出し画面の中のスヌーズ解除ボタン３２が押下（ステップＳ１４）されると、ユーザーは二度寝することを選択したと判定して、ステップＳ１７の目覚まし機能停止に進む。また、ユーザーを起床させるための呼び出し画面の中の停止ボタン３３が押下（ステップＳ１５）されると、目覚ましアラームの発動が一時停止され、ステップＳ１６の目覚まし機能続行に移行し、ステップ１１に戻る。
【００４９】
このように、ユーザーの起床時に起動したい家電機器（例えば、家電機器１０）を予め情報機器１に設定しておくことにより、ユーザーが起床する時に、この起床を情報機器１が検知して、所望の家電機器１０を起動させることができる。すなわち、本実施形態によれば、より簡単な構成で、ユーザーが起床したか否かを容易に検知可能で且つユーザーの起床に伴い所定の処理を確実に実行可能な目覚ましシステムおよび目覚まし機能付き情報機器１を得ることができる。
【００５０】
〈実施例２〉
次に、図５を用いて本実施形態に係る目覚まし機能付き情報機器１を用いて、ユーザーの起床時にエアコン５とテレビ６を起動する実施例２について説明する。
【００５１】
この実施例２は、ユーザー起床に伴う処理として、ユーザーの起床時にエアコン５とテレビ６を起動させる自動操作機能を有する例である。すなわち、エアコン５およびテレビ６は、それぞれ情報機器１と無線通信可能な通信部を有し、情報機器１からの制御指令を受けて起動可能なスマート家電である。
【００５２】
そこで、情報機器１にユーザー４の起床時に起動させたい家電機器として、予め、エアコン５とテレビ６を設定しておく。また、ユーザー４の起床時刻も設定しておく。起床時刻になった時に、情報機器１の目覚ましアラームが発動され、表示画面にユーザーを起床させるための呼び出し画面が表示され、起床ボタン３１とスヌーズ解除ボタン３２と停止ボタン３３の３つの操作ボタンが表示されることは前述した通りである。
【００５３】
ここで、ユーザー４が起床ボタン３１を押下すると、情報機器１は、ユーザー４が起床することを選択したと判定して、所定の操作を実行して、エアコン５およびテレビ６を起動させる処理を行う。エアコン５は情報機器１からの起動指令を受けて、駆動開始し、テレビ６も起動指令を受けてスイッチがオンされる。
【００５４】
そのために、ユーザー４は、起床時にエアコン５のリモコン５ａを探し出して起動させたり、テレビ６のリモコン６ａを探し出して起動させたりする操作が不要になって、利便性が向上する。
【００５５】
以上、本発明に係る目覚まし機能付き情報機器１として、スマートフォンを例示して説明し、ユーザーの起床に伴う処理として家電機器を起動させる例を示して説明したが、本発明の範囲は、上記した実施形態の説明ではなく特許請求の範囲によって示され、さらに特許請求の範囲と均等の意味および範囲内での全ての変更が含まれる。
【００５６】
例えば、目覚まし機能付き情報機器１は、無線通信が可能で目覚まし機能を有する構成であればラジオなどの情報機器であってもよく、ユーザーの起床に伴う処理は、電動カーテンを開ける処理でも、ライトを点灯する処理でも、パソコンを起動させる処理でも、情報機器１から所定の相手にメールを送信する処理であってもよい。
【００５７】
上記したように、本発明の請求項１に対応した課題を解決する手段は、ユーザーに目覚ましアラームを発動する目覚まし機能と、ユーザーの起床に伴い所定の処理を実行する自動操作機能を有する情報機器１を用いた目覚ましシステムであって、前記情報機器１が、各部を制御する制御部１１と、表示画面３と、を有し、前記制御部１１を介して、時刻を認識し表示する時刻明示手段と、目覚ましアラームを発動する時刻を設定するアラーム設定手段と、設定された時刻に目覚ましアラームを発動するアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備えたことである。
【００５８】
この請求項１に対応した効果は、目覚ましアラームを発動する目覚まし機能と、ユーザーの起床に伴い所定の処理を実行する自動操作機能を有する情報機器１を用いると共に、ユーザーの起床を検知して自動操作機能を発動させる起床検知手段を備えているので、ユーザーの起床に伴う所定の処理を確実に実行できる。従って、より簡単な構成で、ユーザーが起床したか否かを容易に検知可能で且つ、ユーザーの起床に伴う所定の処理を確実に実行可能な目覚ましシステムを得ることができる。
【００５９】
請求項２に対応した課題を解決する手段は、目覚ましアラームを発動する際に、前記表示画面３にユーザーを起床させるための呼び出し画面を表示すると共に、前記呼び出し画面は、前記停止手段に応じた停止ボタン表示と、前記スヌーズ手段に応じたスヌーズ解除ボタン表示と、前記起床検知手段に応じた起床ボタン表示との３つのボタン表示を行い、前記起床検知手段は、起床ボタン３１が押下された時に、ユーザーの起床を検知して自動操作機能を発動させることである。この請求項２に対応した効果は、ユーザーが表示された起床ボタン３１を押下してタッチ操作することにより、情報機器１はユーザーが起床することを選択したと判定して、ユーザー起床に伴う所定の処理を行う操作を発動できる。また、ユーザーがスヌーズ解除ボタン３２を押下してタッチ操作すると、ユーザーは二度寝することを選択したと判定して、起床に伴う処理操作の発動を行わず目覚まし機能を停止することができる。また、停止ボタン３３が押下されてタッチ操作されると、起床に伴う処理を行う自動操作機能を発動せず所定時間経過後に再び目覚ましアラームを発動することができる。このように、ユーザーが起床したことを情報機器１が確実に判定して、その後の処理を行う自動操作機能を発動させて所定の機器を起動できるので、スマート家電に対応して利便性の向上した目覚ましシステムを得ることができる。
【００６０】
請求項３に対応した課題を解決する手段は、前記情報機器１は、家電機器１０と連携してその駆動を制御する家電制御機能を有し、前記自動操作機能は、予め定められた家電機器１０の起動を操作することである。この請求項２に対応した効果は、ユーザーが起床することを確実に判定して、エアコン５やテレビ６を自動的に起動させることができるので利便性が向上する。
【００６１】
請求項４に対応した課題を解決する手段は、ユーザーに目覚ましアラームを発動する目覚まし機能と、ユーザーの起床に伴い所定の処理を実行する自動操作機能を有する目覚まし機能付き情報機器１であって、各部を制御する制御部１１と、表示画面３と、を有し、前記制御部１１を介して、時刻を認識し表示する時刻明示手段と、目覚ましアラームを発動する時刻を設定するアラーム設定手段と、設定された時刻に目覚ましアラームを発動するアラーム発動手段と、目覚ましアラームを一時停止して所定時間経過後に再度目覚ましアラームを発動する停止手段と、所定時間アラームを発動し、その後、所定時間経過する度にアラームを繰り返し発動するスヌーズ手段と、ユーザーの起床を検知して自動操作機能を発動させる起床検知手段を備えたことである。
【００６２】
この請求項４に対応した効果は、目覚まし機能付き情報機器１がアラーム発動手段と、停止手段と、スヌーズ手段と、ユーザーの起床を検知して自動操作機能を発動させる起床検知手段を備えているので、従来の目覚まし機能に加えて、ユーザーの起床に伴う所定の処理を確実に実行することができる。従って、より簡単な構成で、ユーザーが起床したか否かを容易に検知可能で且つユーザーの起床に伴う所定の処理を確実に実行可能な目覚まし機能付き情報機器１を得ることができる。
【００６３】
請求項５に対応した課題を解決する手段は、前記表示画面３にユーザーを起床させるための呼び出し画面を表示すると共に、前記呼び出し画面は、前記停止手段に応じた停止ボタン表示と、前記スヌーズ手段に応じたスヌーズ解除ボタン表示と、前記起床検知手段に応じた起床ボタン表示との３つのボタン表示を行い、前記起床検知手段は、起床ボタン３１が押下された時に、ユーザーの起床を検知して自動操作機能を発動させることである。この請求項５に対応した効果は、ユーザーが表示された起床ボタン３１を押下してタッチ操作することにより、情報機器１はユーザーが起床することを選択したと判定して、ユーザー起床に伴う所定の処理を行う操作を発動できる。また、ユーザーがスヌーズ解除ボタン３２を押下してタッチ操作すると、ユーザーは二度寝することを選択したと判定して、起床に伴う処理操作の発動を行わず目覚まし機能を停止することができる。また、停止ボタン３３が押下されてタッチ操作されると、起床に伴う処理を行う自動操作機能を発動せず所定時間経過後に再び目覚ましアラームを発動することができる。このように、ユーザーが起床したか否かを情報機器１が確実に判定して、その後の処理を行う自動操作機能を発動させて所定の機器を起動できるので、スマート家電に対応して利便性の向上した目覚まし機能付き情報機器１を得ることができる。
【００６４】
上記したように本発明によれば、より簡単な構成で、ユーザーが起床したか否かを容易に判定可能で且つユーザーの起床に伴う所定の処理を確実に実行可能な目覚ましシステムおよび目覚まし機能付き情報機器を得ることができる。
【産業上の利用可能性】
【００６５】
そのために、本発明に係る目覚ましシステムおよび目覚まし機能付き情報機器は、起床に伴い起動させたい家電機器があり、これらの家電機器をスマートフォンなどの目覚まし機能付き情報機器を介して駆動制御可能である場合に、ユーザーが起床することを選択したのか、二度寝することを選択したのかを容易に判定することが求められる場合に好適に利用可能となる。
【符号の説明】
【００６６】
１    情報機器（目覚まし機能付き情報機器）
２    本体部
３    表示画面
４    ユーザー
５    エアコン
６    テレビ
１０    家電機器
１１    制御部
１２    通信部
１３    操作部
１４    記憶部
１５    表示部
３１    起床ボタン
３２    スヌーズ解除ボタン
３３    停止ボタン
【図１】
2014173986.tif 000003
【図２】
2014173986.tif 000004
【図３】
2014173986.tif 000005
【図４】
2014173986.tif 000006
【図５】
2014173986.tif 000007